(57)【要約】  実施形態の鉄道車両用伝送装置（２１）においては、機関車を特定するための機関車特定情報がそれぞれ割り当てられた複数の機関車を連結して列車を編成する場合に、機関車の所定の向きに対して、第１連結方向と、前記第１連結方向とは逆の第２連結方向とを、規定する。そして、伝送部（３５）は、他の機関車から第１連結方向あるいは第２連結方向のうちいずれか一方から受信した機関車特定情報を、第１連結方向あるいは第２連結方向のうちいずれか他方に送信する。これにより、連結状態判別部（３５）は、受信した前記機関車特定情報に基づいて、自己が搭載されている機関車と、他の機関車と、の連結状態を判別する。
2013179410.tif 000002
【特許請求の範囲】
【請求項１】
機関車を特定するための機関車特定情報がそれぞれ割り当てられた複数の機関車を連結して列車を編成する場合に、機関車の所定の向きに対して、第１連結方向と、前記第１連結方向とは逆の第２連結方向とを、規定し、
他の機関車から前記第１連結方向あるいは前記第２連結方向のうちいずれか一方から受信した前記機関車特定情報を、前記第１連結方向あるいは前記第２連結方向のうちいずれか他方に送信する伝送部と、
受信した前記機関車特定情報に基づいて、自己が搭載されている機関車と、他の機関車と、の連結状態を判別する連結状態判別部と、
を備えた鉄道車両用伝送装置。
【請求項２】
前記伝送部は、
前記第１連結方向から受信した機関車特定情報あるいは複数の機関車特定情報を含む機関車特定情報列に自己の機関車特定情報を付加して、前記第２連結方向に送信する第１伝送部と、
前記第２連結方向から受信した機関車特定情報あるいは複数の機関車特定情報を含む機関車特定情報列に自己の機関車特定情報を付加して、前記第１連結方向に送信する第２伝送部と、
を備えた請求項１記載の鉄道車両用伝送装置。
【請求項３】
前記第１伝送部及び前記第２伝送部における受信した機関車特定情報あるいは複数の機関車特定情報を含む機関車特定情報列が所定時間以上変化しなくなった場合に、機関車特定情報の受信が完了したと判定する伝送制御部を、
備えた請求項１記載の鉄道車両用伝送装置。
【請求項４】
前記伝送制御部は、前記機関車特定情報の受信が完了した後、前記複数の機関車の機関車特定情報のうち、自己の機関車特定情報が所定の条件を満たしている唯一の機関車である特定機関車である場合に、前記第１伝送部を介して第１方向確認コマンドを送信させ、前記第２伝送部を介して第２方向確認コマンドを送信させる、
請求項３記載の鉄道車両用伝送装置。
【請求項５】
前記伝送制御部は、前記第１方向確認コマンドあるいは前記第２方向確認コマンドを前記第１通信手段あるいは前記第２通信手段が受信したかに基づいて、前記特定機関車の向きに対して同一方向あるいは逆方向を向いているかを判別する車両方向判別部を備えた、
請求項４記載の鉄道車両用伝送装置。
【請求項６】
前記機関車特定情報に基づいて、連結された複数の機関車のうち、両端に連結されている機関車に搭載されていると認識した通信制御手段は、前記第１伝送部及び前記第２伝送部のうち、他の機関車が連結されていない通信部を介して、機関車特定情報の送信を要求する情報要求信号を送信し続ける、
請求項４記載の鉄道車両用伝送装置。
【請求項７】
機関車を特定するための機関車特定情報がそれぞれ割り当てられた複数の機関車を連結して列車を編成する場合に、機関車の所定の向きに対して、第１連結方向と、前記第１連結方向とは逆の第２連結方向とが予め規定された、鉄道車両であって、
車両の前記第１連結方向に設けられた第１コネクタと、
車両の前記第２連結方向に設けられた第２コネクタと、
他の機関車から前記第１コネクタあるいは前記第２コネクタのうちいずれか一方から受信した前記機関車特定情報を、前記第１コネクタあるいは前記第２コネクタのうちいずれか他方に送信する伝送部と、受信した前記機関車特定情報に基づいて、自己が搭載されている機関車と、他の機関車と、の連結状態を判別する連結状態判別部と、を備えた鉄道車両用伝送装置と、
を備えた鉄道車両。
【請求項８】
機関車を特定するための機関車特定情報がそれぞれ割り当てられた複数の機関車を連結して列車を編成する場合に、機関車の所定の向きに対して、第１連結方向と、前記第１連結方向とは逆の第２連結方向とが、規定された鉄道車両用伝送装置において実行される制御方法であって、
他の機関車から前記第１連結方向あるいは前記第２連結方向のうちいずれか一方から受信した前記機関車特定情報を、前記第１連結方向あるいは前記第２連結方向のうちいずれか他方に送信する伝送過程と、
受信した前記機関車特定情報に基づいて、自己が搭載されている機関車と、他の機関車と、の連結状態を判別する連結状態判別過程と、
を備えた制御方法。
【請求項９】
機関車を特定するための機関車特定情報がそれぞれ割り当てられた複数の機関車を連結して列車を編成する場合に、機関車の所定の向きに対して、第１連結方向と、前記第１連結方向とは逆の第２連結方向とが、規定された機関車に搭載される鉄道車両用伝送装置をコンピュータにより制御するための制御プログラムであって、
他の機関車から前記第１連結方向あるいは前記第２連結方向のうちいずれか一方から受信した前記機関車特定情報を、前記第１連結方向あるいは前記第２連結方向のうちいずれか他方に送信する伝送ステップと、
受信した前記機関車特定情報に基づいて、自己が搭載されている機関車と、他の機関車と、の連結状態を判別する連結状態判別ステップと、
を備えた制御プログラム。
【発明の詳細な説明】
【技術分野】
【０００１】
本発明の実施形態は、鉄道車両用伝送装置、鉄道車両、制御方法及び制御プログラムに関する。
【背景技術】
【０００２】
従来、連結／開放を定常的に実施する機関車システムにおいては、連結／開放を検出するためのリレーや編成構成を設定するための設定器が設けられていた。この設定器の設定によって、編成を構成する車両数や車両識別子及び識別子を有する車両の接続順序、車両の向き（上り方向／下り方向）等が手動で設定されていた。
このように構成された鉄道車両用伝送装置では、鉄道車両内にネットワークを構成する場合がある（例えば、特許文献１参照）。
このように、鉄道車両内にネットワークを構成する場合であっても、各伝送装置の接続順番が判明している。このため、各伝送装置や電機品の編成内の絶対位置を取得して、乗務員やモニタ装置に各伝送装置や電機品の情報を正確に提供するようにされていた。
【先行技術文献】
【特許文献】
【０００３】
【特許文献１】特開２００８−１１３１０３号公報
【発明の概要】
【発明が解決しようとする課題】
【０００４】
しかしながら、上記従来の鉄道車両用伝送装置では、乗務員が編成の構成に変化が発生する度に編成を構成する車両数や車両識別子及び識別子を有する車両の接続順序、各機関車の向き（上り方向／下り方向）を正確に設定することが必要であり、設定項目も多いことから乗務員の設定ミスを誘発させやすく、安易な重連に対応した鉄道車両内のネットワーク構築の課題となっている。
また、多重連結対応の機関車システムでは、設定のミスが誤表示を誘発するだけにとどまらず、鉄道車両の前進／後進の逆転や、車両の左右方向の逆転などの運転に関わる部分にまで影響が出るため、設定の簡略化及び自動化が望まれている。【０００５】
そこで、本発明の実施形態は、上記に鑑みてなされたものであって、連結／開放を定常的に実施する機関車システムにおいても、車両編成（機関車の両数、並び順、車両の向き、）を自動的に取得でき、操作性、メンテナンス性に優れた伝送システム（通信システム）を構築することができる鉄道車両用伝送装置、鉄道車両、制御方法及び制御プログラムを提供することを目的としている。
【課題を解決するための手段】
【０００６】
本発明の実施形態にかかる鉄道車両用伝送装置においては、機関車を特定するための機関車特定情報がそれぞれ割り当てられた複数の機関車を連結して列車を編成する場合に、機関車の所定の向きに対して、第１連結方向と、前記第１連結方向とは逆の第２連結方向とを、規定する。
そして、伝送部は、他の機関車から第１連結方向あるいは第２連結方向のうちいずれか一方から受信した前記機関車特定情報を、前記第１連結方向あるいは前記第２連結方向のうちいずれか他方に送信する。
これにより、連結状態判別部は、受信した前記機関車特定情報に基づいて、自己が搭載されている機関車と、他の機関車と、の連結状態を判別する。
【図面の簡単な説明】
【０００７】
【図１】図１は、鉄道車両用伝送システムの概要構成図である。
【図２】図２は、伝送装置の概要構成図である。
【図３】図３は、伝送装置本体の概要構成図である。
【図４】図４は、初期状態の動作説明図である。
【図５】図５は、実施形態の処理フローチャートである。
【図６】図６は、電源投入直後の送信テーブル及び受信テーブルの状態説明図である。
【図７】図７は、機関車ＩＤセット後の送信テーブル及び受信テーブルの状態説明図である。
【図８】図８は、連結確認コマンドのデータフォーマットの説明図である。
【図９】図９は、第１回目の連結確認コマンド受信後の送信テーブル及び受信テーブルの状態説明図である。
【図１０】図１０は、第１回目の連結確認コマンドを受信し、追格納を行った後の送信テーブル及び受信テーブルの状態説明図である。
【図１１】図１１は、第２回目の連結確認コマンド受信後の送信テーブル及び受信テーブルの状態説明図である。
【図１２】図１２は、第２回目の連結確認コマンドを受信し、追格納を行った後の送信テーブル及び受信テーブルの状態説明図である。
【図１３】図１３は、第３回目の連結確認コマンド受信後の送信テーブル及び受信テーブルの状態説明図である。
【図１４】図１４は、第３回目の連結確認コマンドを受信し、追格納を行った後の送信テーブル及び受信テーブルの状態説明図である。
【図１５】図１５は、第４回目の連結確認コマンド受信後の送信テーブル及び受信テーブルの状態説明図である。
【図１６】図１６は、第４回目の連結確認コマンドを受信し、追格納を行った後の送信テーブル及び受信テーブルの状態説明図である。
【図１７】図１７は、第５回目の連結確認コマンド受信後の送信テーブル及び受信テーブルの状態説明図である。
【図１８−１】図１８−１は、連結確認処理後の各機関車の連結数及び車両編成状態の確認状態の説明図（その１）である。
【図１８−２】図１８−２は、連結確認処理後の各機関車の連結数及び車両編成状態の確認状態の説明図（その２）である。
【図１８−３】図１８−３は、連結確認処理後の各機関車の連結数及び車両編成状態の確認状態の説明図（その３）である。
【図１８−４】図１８−４は、連結確認処理後の各機関車の連結数及び車両編成状態の確認状態の説明図（その４）である。
【図１８−５】図１８−５は、連結確認処理後の各機関車の連結数及び車両編成状態の確認状態の説明図（その５）である。
【図１９】図１９は、方向確認処理の処理フローチャートである。
【図２０】図２０は、第１方向確認コマンド及び第２方向確認コマンドのデータフォーマットの説明図である。
【図２１−１】図２１−１は、方向確認処理の説明図（その１）である。
【図２１−２】図２１−２は、方向確認処理の説明図（その２）である。
【図２１−３】図２１−３は、方向確認処理の説明図（その３）である。
【図２１−４】図２１−４は、方向確認処理の説明図（その４）である。
【図２１−５】図２１−５は、方向確認処理の説明図（その５）である。
【発明を実施するための形態】
【０００８】
次に実施形態について図面を参照して説明する。
図１は、鉄道車両用伝送システムの概要構成図である。
鉄道車両用伝送システム１０は、車両編成を構成するｎ台（ｎは、２以上の自然数）連結された機関車１１−１〜１１−ｎのそれぞれに搭載されるｎ台の伝送装置（鉄道車両用伝送装置）１２−１〜１２−ｎを備えている。
【０００９】
伝送装置１２−１〜１２−ｎは、自己が搭載されている機関車１１−１〜１１−ｎに連結された機関車（図１の伝送装置１２−２を例とした場合、伝送装置１２−２は、機関車１１−２に搭載されているので、機関車１１−１及び機関車１１−３）に搭載されている他の伝送装置（図１において、伝送装置１２−１及び伝送装置１２−３）との間で通信（情報伝送）を行うための第１コネクタ１４−１及び第２コネクタ１４−２をそれぞれ備えている。
【００１０】
ここで、第１コネクタ１４−１と、第２コネクタ１４−２とは、実質的には同一構成であるため、以下の説明においては説明の簡略化のため、第１コネクタ１４−１は、機関車１１−１〜１１−ｎを多重連結した場合の第１の所定の方向（以下の説明においては、図面中、左方向）に連結される他の機関車との間で伝送（通信）を行うためのコネクタであるものとする。また、第２コネクタ１４−２は、機関車１１−１〜１１−ｎを多重連結した場合の第１の所定の方向とは逆方向の第２の所定の方向（以下の説明においては、図面中、右方向）に連結される他の機関車との間で伝送（通信）を行うためのコネクタであるものとする。
なお、各機関車１１−１〜１１−ｎは、第１コネクタ１４−１が自己の前方（所定の機関車前方方向）あるいは後方（所定の機関車後方方向）のいずれに設けられているのか、並びに第２コネクタが自己の後方あるいは前方のいずれに設けられているのかを予め記憶しているものとする。
また、第１コネクタ１４−１と第２コネクタ１４-２とは、通信ケーブル１５により互いに接続されている。
【００１１】
図２は、伝送装置の概要構成図である。
伝送装置１２−１〜１２−ｎは、同一構成であるので、伝送装置１２−１を例として説明する。
伝送装置１２−１は、大別すると、伝送装置１２−１に機関車１１−１から電源が供給された場合に伝送装置本体２１を第１コネクタ１４−１に接続する第１切替スイッチ２２と、伝送装置１２−１に機関車１１−１から電源が供給された場合に伝送装置本体２１を第２コネクタ１４−２に接続する第２切替スイッチ２３と、第１切替スイッチ２２の常閉接点（ＮＣ接点）２２ＴＣと第２切替スイッチ２３の常閉接点（ＮＣ接点）２３ＴＣとを接続し、電源非供給時に伝送装置本体２１をバイパスして伝送経路を形成するバイパス伝送路２４と、を備えている。例えば、第１切替スイッチ２２と第２切替スイッチ２３は、電磁開閉器によって実現することができる。
【００１２】
上記構成において、伝送装置本体２１は、第１切替スイッチ２２の常開接点（ＮＯ接点）２２ＴＯと第２切替スイッチ２３の常開接点（ＮＯ接点）２３ＴＯとの間に接続されている。
【００１３】
図３は、伝送装置本体の概要構成図である。
伝送装置本体２１は、出力側が第１切替スイッチ２２の常開接点（ＮＯ接点）２２ＴＯに接続された第１幹線伝送送信機３１と、入力側が第１切替スイッチ２２の常開接点（ＮＯ接点）２２ＴＯに接続された第１幹線伝送受信機３２と、出力側が第２切替スイッチ２３の常開接点（ＮＯ接点）２３ＴＯに接続された第２幹線伝送送信機３３と、入力側が第２切替スイッチ２３の常開接点（ＮＯ接点）２３ＴＯに接続された第２幹線伝送受信機３４と、を備えている。
【００１４】
また、伝送装置本体２１は、第１幹線伝送送信機３１、第１幹線伝送受信機３２、第２幹線伝送送信機３３及び第２幹線伝送受信機３４を用いた伝送制御を行う伝送中継器制御装置３５と、各機関車を特定するための機関車ＩＤを格納するとともに、各種データを格納するメモリ３６と、を備えている。
【００１５】
ここで、機関車ＩＤとしては、各機関車にユニークに割り当てられた機関車番号を用いている。この機関車番号の設定は、ディップスイッチなどの設定スイッチにより予め設定されている。なお、機関車ＩＤは、ユニークであれば車両の製造番号でも伝送装置のＩＰアドレスでもＭＡＣアドレス等を用いても良い。
【００１６】
また、伝送装置本体２１は、当該伝送装置本体２１が搭載されている機関車に搭載されている機器が接続される第１伝送ポート４１及び第２伝送ポート４２と、第１伝送ポート４１と伝送中継機器制御装置３５との間のインタフェース動作を行って伝送（通信）を行う第１伝送送受信機４３と、第２伝送ポート４２と伝送中継機器制御装置３５との間のインタフェース動作を行って伝送（通信）を行う第２伝送送受信機４４と、を備えている。
【００１７】
上記構成において、伝送中継器制御装置３５は、第１幹線伝送送信機３１を介して送信する送信データを一時的に格納する第１送信テーブル５１と、第１幹線伝送受信機３２を介して受信した受信データを一時的に格納する第１受信テーブル５２と、第２幹線伝送送信機３３を介して送信する送信データを一時的に格納する第２送信テーブル５３と、第２幹線伝送受信機３４を介して受信した受信データを一時的に格納する第２受信テーブル５４と、を備えている。
【００１８】
次に実施形態の動作を説明する。
図４は、初期状態の動作説明図である。
図４において、機関車としては、機関車１１−１〜１１−５の５台が多重連結されているものとし、図４上、機関車１１−１は、左方向が基準方向（前方方向）であり、機関車１１−２は、右方向が基準方向であり、機関車１１−３は、左方向が基準方向であり、機関車１１−４は、右方向が基準方向であり、機関車１１−５は、右方向が基準方向であるものとする。
【００１９】
また、機関車１１−１を特定する機関車ＩＤ＝「１０」であり、機関車１１−２を特定する機関車ＩＤ＝「２０」であり、機関車１１−３を特定する機関車ＩＤ＝「５」であり、機関車１１−４を特定する機関車ＩＤ＝「７」であり、機関車１１−５を特定する機関車ＩＤ＝「３」であるものとする。
【００２０】
図５は、実施形態の処理フローチャートである。
機関車１１−１〜１１−５のそれぞれに搭載された伝送装置本体２１の伝送中継器制御装置３５は、電源投入がなされると（ステップＳ１１）、メモリ３６に格納されている機関車ＩＤを読み出し、第１送信テーブル５１の先頭領域及び第２送信テーブル５３の先頭領域にセット（格納）する（ステップＳ１２）。
【００２１】
図６は、電源投入直後の送信テーブル及び受信テーブルの状態説明図である。
機関車１１−１〜機関車１１−５において、電源投入直後は、第１送信テーブル５１、第１受信テーブル５２、第２送信テーブル５３及び第２受信テーブル５４のいずれもデータが格納されていない初期状態となっている。
そして、機関車１１−１〜機関車１１−５の伝送中継器制御装置３５は、メモリ３６に格納されている機関車ＩＤを読み出し、第１送信テーブル５１の先頭領域及び第２送信テーブル５３の先頭領域にセット（格納）する。
【００２２】
図７は、機関車ＩＤセット後の送信テーブル及び受信テーブルの状態説明図である。
図７に示すように、機関車１１−１の第１送信テーブル５１の先頭領域及び第２送信テーブル５３の先頭領域には、それぞれ、機関車ＩＤ＝「１０」が格納される。
同様にして、機関車１１−２の第１送信テーブル５１の先頭領域及び第２送信テーブル５３の先頭領域には、それぞれ、機関車ＩＤ＝「２０」が格納される。
【００２３】
また、機関車１１−３の第１送信テーブル５１の先頭領域及び第２送信テーブル５３の先頭領域には、それぞれ、機関車ＩＤ＝「５」が格納される。
また、機関車１１−４の第１送信テーブル５１の先頭領域及び第２送信テーブル５３の先頭領域には、それぞれ、機関車ＩＤ＝「７」が格納される。
また、機関車１１−５の第１送信テーブル５１の先頭領域及び第２送信テーブル５３の先頭領域には、それぞれ、機関車ＩＤ＝「３」が格納される。
【００２４】
次に伝送中継器制御装置３５は、他の機関車に搭載された伝送中継器制御装置３５から連結確認コマンドコマンドＣＭＤ１１あるいは連結確認コマンドＣＭＤ１２を受信したか否かを判別する（ステップＳ１３）。
【００２５】
図８は、連結確認コマンドのデータフォーマットの説明図である。図８は、通信規格としてイーサネット（登録商標）を用いた場合の連結確認コマンドのデータフォーマットである。
連結確認コマンドＣＭＤ１１及び連結確認コマンドＣＭＤ１２は、同一データフォーマットであり、その先頭から、通信同期をとるためのプリアンブル部６１と、宛先アドレス、送信元アドレス等を格納したイーサネットヘッダ部６２と、連結確認コマンドＣＭＤ１１、ＣＭＤ１２であることを示すコマンド部６３と、連結確認コマンドＣＭＤ１１の場合には第１送信テーブル５１に格納されている自己の機関車ＩＤを含む機関車ＩＤ（群）あるいは連結確認コマンドＣＭＤ１２の場合には第２送信テーブルに格納されている自己の機関車ＩＤを含む機関車ＩＤ（群）を格納する機関車ＩＤ部６４と、エラーチェック用のＣＲＣ（Cyclic  Redundancy  Check）が格納されたフレームチェックシーケンス（ＦＣＳ）部６５と、を備えている。
【００２６】
そして、第２幹線伝送受信機３４を介して、他の伝送中継器制御装置３５の第１幹線伝送送信機３１から連結確認コマンドＣＭＤ１１を受信した場合には、連結確認コマンドＣＭＤ１１の機関車ＩＤ部の内容を第２受信テーブル５４に格納することとなるので、第２受信テーブル５４に格納された連結確認コマンドＣＭＤ１１の機関車ＩＤ部６４の内容を第１送信テーブル５１に追格納する（ステップＳ１４）。
ここで、追格納とは、同一のデータについては、上書きして格納することを言う（以下、同様）。
【００２７】
図９は、第１回目の連結確認コマンド受信後の送信テーブル及び受信テーブルの状態説明図である。
図１０は、第１回目の連結確認コマンドを受信し、追格納を行った後の送信テーブル及び受信テーブルの状態説明図である。
この状態において、例えば、機関車１１−２の第１送信テーブル５１には、図９に示すように、自己の機関車ＩＤ＝「２０」のみが格納されている。したがって、伝送中継器制御装置３５は、第２受信テーブル５４に格納されている機関車１１−３の機関車ＩＤ＝「５」を追格納する。この結果、図１０に示すように、機関車１１−２の第１送信テーブル５１には、機関車ＩＤ＝「２０」及び機関車ＩＤ「５」が格納されることとなる。
【００２８】
同様にして、機関車１１−１の第１送信テーブル５１には、図１０に示すように、自己の機関車ＩＤ＝「１０」及び機関車１１−２の機関車ＩＤ「２０」が格納される。
また、機関車１１−３の第１送信テーブル５１には、図１０に示すように、自己の機関車ＩＤ＝「５」及び機関車１１−４の機関車ＩＤ「７」が格納される。
また、機関車１１−４の第１送信テーブル５１には、図１０に示すように、自己の機関車ＩＤ＝「７」及び機関車１１−５の機関車ＩＤ「３」が格納される。
【００２９】
また、機関車１１−５においては、第２受信テーブル５４に受信されるデータはないので、機関車１１−５の第１送信テーブル５１には、図１０に示すように、自己の機関車ＩＤ＝「３」のみが格納された状態が維持される。
また、第１幹線伝送受信機３２を介して、他の伝送中継器制御装置３５の第２幹線伝送送信機３３から連結確認コマンドＣＭＤ１２を受信した場合には、連結確認コマンドＣＭＤ１２の機関車ＩＤ部の内容を第１受信テーブル５２に格納することとなる。したがって伝送中継器制御装置３５は、第１受信テーブル５２に格納された連結確認コマンドＣＭＤ１２の機関車ＩＤ部の内容を第２送信テーブル５３に追格納する（ステップＳ１５）。
【００３０】
この状態において、例えば、機関車１１−２の第２送信テーブル５３には、図９に示すように、自己の機関車ＩＤ＝「２０」のみが格納されている。したがって、伝送中継器制御装置３５は、第１受信テーブル５２に格納されている機関車１１−１の機関車ＩＤ＝「１０」を追格納する。この結果、機関車１１−２の第２送信テーブル５３には、図１０に示すように、機関車ＩＤ＝「２０」及び機関車ＩＤ「１０」が格納されることとなる。
【００３１】
同様にして、機関車１１−３の第２送信テーブル５３には、図１０に示すように、自己の機関車ＩＤ＝「５」及び機関車１１−２の機関車ＩＤ「２０」が格納される。
また、機関車１１−４の第２送信テーブル５３には、図１０に示すように、自己の機関車ＩＤ＝「７」及び機関車１１−３の機関車ＩＤ「５」が格納される。
【００３２】
また、機関車１１−５の第２送信テーブル５３には、図１０に示すように、自己の機関車ＩＤ＝「３」及び機関車１１−４の機関車ＩＤ「７」が格納される。
また、機関車１１−１においては、第１受信テーブル５２に受信されるデータはないので、機関車１１−１の第２送信テーブル５３には、図１０に示すように、自己の機関車ＩＤ＝「１０」のみが格納された状態が維持される。
【００３３】
次に伝送中継器制御装置３５は、第１送信テーブル５１の内容あるいは第２送信テーブル５３の内容に変更があったか否かを判別する（ステップＳ１６）。
上記例においては、ステップＳ１６の判別において、全ての機関車１１−１〜１１−５において第１送信テーブル５１の内容あるいは第２送信テーブル５３の内容に変更があったと判別されるため（ステップＳ１６；Ｙｅｓ）、全ての機関車１１−１〜１１−５のそれぞれの伝送中継器制御装置３５は、第１送信テーブル５１の内容を第１幹線伝送送信機３１から第２回目の連結確認コマンドＣＭＤ１１として送信させる（ステップＳ１８）。
【００３４】
図１１は、第２回目の連結確認コマンド受信後の送信テーブル及び受信テーブルの状態説明図である。
ここで、第１コネクタ１４−１には、他の機関車が接続されていないが、機関車１１−１の伝送中継器制御装置３５は、第１送信テーブル５１に格納されている自己の機関車ＩＤ＝「１０」及び機関車１１−２の機関車ＩＤ「２０」を連結確認コマンドＣＭＤ１１として第１幹線伝送送信機３１から送信する。
【００３５】
一方、機関車１１−２の伝送中継器制御装置３５は、第１送信テーブル５１に格納されている自己の機関車ＩＤ＝「２０」及び機関車１１−３の機関車ＩＤ「５」を連結確認コマンドＣＭＤ１１として第１幹線伝送送信機３１から機関車１１−１に向けて送信させる。これにより、図１１に示すように、機関車１１−１の第２受信テーブル５４には、機関車１１-３の機関車ＩＤ＝「５」を追格納され、機関車ＩＤ＝「２０」及び機関車ＩＤ＝「５」が格納されることとなる。
【００３６】
また、機関車１１−３の伝送中継器制御装置３５は、第１送信テーブル５１に格納されている自己の機関車ＩＤ＝「５」及び機関車１１−４の機関車ＩＤ「７」を連結確認コマンドＣＭＤ１１として第１幹線伝送送信機３１から機関車１１−２に向けて送信させる。これにより、図１１に示すように、機関車１１−２の第２受信テーブル５４には、機関車１１-４の機関車ＩＤ＝「７」が追格納され、機関車ＩＤ＝「５」及び機関車ＩＤ＝「７」が格納されることとなる。
【００３７】
また、機関車１１−４の伝送中継器制御装置３５は、第１送信テーブル５１に格納されている、自己の機関車ＩＤ＝「７」及び機関車１１−５の機関車ＩＤ「３」を連結確認コマンドＣＭＤ１１として第１幹線伝送送信機３１から機関車１１−３に向けて送信させる。これにより、図１１に示すように、機関車１１−３の第２受信テーブル５４には、機関車１１−５の機関車ＩＤ＝「３」が追格納され、機関車ＩＤ＝「７」及び機関車ＩＤ＝「３」が格納されることとなる。
【００３８】
また、機関車１１−５の伝送中継器制御装置３５は、第１送信テーブル５１に格納されている、自己の機関車ＩＤ＝「３」を連結確認コマンドＣＭＤ１１として第１幹線伝送送信機３１から機関車１１−４に向けて送信させるが、図１１に示すように、機関車１１−４の第２受信テーブル５４の内容は変化しない。
【００３９】
続いて、全ての機関車１１−１〜１１−５のそれぞれの伝送中継器制御装置３５は、第２送信テーブル５３の内容を連結確認コマンドＣＭＤ１２として第２幹線伝送送信機３３から送信させる（ステップＳ１９）。
【００４０】
すなわち、機関車１１−１の伝送中継器制御装置３５は、第２送信テーブル５３に格納されている自己の機関車ＩＤ＝「１０」を含む連結確認コマンドＣＭＤ１２を第２幹線伝送送信機３３から機関車１１−２に向けて送信させる。これにより、図１１に示すように、機関車１１−２の第１受信テーブル５２には、機関車１１−１の機関車ＩＤ＝「１０」が格納される。
【００４１】
同様に、機関車１１−２の伝送中継器制御装置３５は、第２送信テーブル５３に格納されている自己の機関車ＩＤ＝「２０」及び機関車１１−１の機関車ＩＤ「１０」を含む連結確認コマンドＣＭＤ１２を第２幹線伝送送信機３３から機関車１１−３に向けて送信させる。これにより、図１１に示すように、機関車１１−３の第１受信テーブル５２には、機関車ＩＤ＝「２０」及び機関車ＩＤ＝「１０」が格納される。
【００４２】
また、機関車１１−３の伝送中継器制御装置３５は、第２送信テーブル５３に格納されている自己の機関車ＩＤ＝「５」及び機関車１１−２の機関車ＩＤ「２０」を含む連結確認コマンドＣＭＤ１２を第２幹線伝送送信機３３から機関車１１−４に向けて送信させる。これにより、図１１に示すように、機関車１１−４の第１受信テーブル５２には、機関車ＩＤ＝「５」及び機関車ＩＤ＝「２０」が格納される。
【００４３】
また、機関車１１−４の伝送中継器制御装置３５は、第２送信テーブル５３に格納されている、自己の機関車ＩＤ＝「７」及び機関車１１−３の機関車ＩＤ「５」を含む連結確認コマンドＣＭＤ１２を第２幹線伝送送信機３３から機関車１１−５に向けて送信させる。これにより、図１１に示すように、機関車１１−５の第１受信テーブル５２には、機関車ＩＤ＝「７」及び機関車ＩＤ＝「５」が格納される。
【００４４】
また、機関車１１−５の伝送中継器制御装置３５は、第２送信テーブル５３に格納されている自己の機関車ＩＤ＝「３」を含む連結確認コマンドＣＭＤ１２を、第２幹線伝送送信機３３から送信させる。
【００４５】
続いて、機関車１１−１〜１１−５の伝送中継器制御装置３５は、処理を再びステップＳ１３に移行する。
そして、機関車１１−１〜１１−５の伝送中継器制御装置３５は、再び他の機関車に搭載された伝送中継器制御装置３５から連結確認コマンドＣＭＤ１１あるいは連結確認コマンドＣＭＤ１２を受信したか否かを判別する（ステップＳ１３）。
そして、第２幹線伝送受信機３４を介して、他の伝送中継器制御装置３５の第１幹線伝送送信機３１から連結確認コマンドＣＭＤ１１を受信した場合には、連結確認コマンドＣＭＤ１１の機関車ＩＤ部の内容を第２受信テーブル５４に格納することとなるので、第２受信テーブル５４に格納された連結確認コマンドＣＭＤ１１の機関車ＩＤ部の内容を第１送信テーブル５１に追格納する（ステップＳ１４）。
【００４６】
図１２は、第２回目の連結確認コマンドを受信し、追格納を行った後の送信テーブル及び受信テーブルの状態説明図である。
この状態において、例えば、機関車１１−２の第１送信テーブル５１には、図１１に示したように、自己の機関車ＩＤ＝「２０」及び機関車１１−３の機関車ＩＤ＝「５」が格納されている。したがって、伝送中継器制御装置３５は、第２受信テーブル５４に格納されている機関車１１−４の機関車ＩＤ＝「７」を追格納する。この結果、機関車１１−２の第１送信テーブル５１には、図１２に示すように、機関車ＩＤ＝「２０」、機関車ＩＤ＝「５」及び機関車ＩＤ＝「７」が格納されることとなる。
【００４７】
同様にして、機関車１１−１の第１送信テーブル５１には、図１１に示したように、自己の機関車ＩＤ＝「１０」及び機関車１１−２の機関車ＩＤ「２０」が格納されている。したがって、伝送中継器制御装置３５は、第２受信テーブル５４に格納されている機関車１１−３の機関車ＩＤ＝「５」を追格納する。この結果、機関車１１−１の第１送信テーブル５１には、図１２に示すように、機関車ＩＤ＝「１０」、機関車ＩＤ＝「２０」及び機関車ＩＤ＝「５」が格納されることとなる。
【００４８】
また、機関車１１−３の第１送信テーブル５１には、図１１に示したように、自己の機関車ＩＤ＝「５」及び機関車１１−４の機関車ＩＤ＝「７」が格納されている。したがって、伝送中継器制御装置３５は、第２受信テーブル５４に格納されている機関車１１−５の機関車ＩＤ＝「３」を追格納する。この結果、機関車１１−３の第１送信テーブル５１には、図１２に示すように、機関車ＩＤ＝「５」、機関車ＩＤ＝「７」及び機関車ＩＤ＝「３」が格納されることとなる。
【００４９】
また、機関車１１−４の第１送信テーブル５１には、自己の機関車ＩＤ＝「７」及び機関車１１−５の機関車ＩＤ「３」が格納されているが、機関車１１−４においては、第２受信テーブル５４に新たに受信されるデータはないので、機関車１１−４の第１送信テーブル５１は、自己の機関車ＩＤ＝「７」及び機関車１１−５の機関車ＩＤ「３」が格納された状態が維持される。
また、機関車１１−５においても、第２受信テーブル５４に受信されるデータはないので、機関車１１−５の第１送信テーブル５１は、自己の機関車ＩＤ＝「３」のみが格納された状態が維持される。
【００５０】
また、第１幹線伝送受信機３２を介して、他の伝送中継器制御装置３５の第２幹線伝送送信機３３から連結確認コマンドＣＭＤ１２を受信した場合には、連結確認コマンドＣＭＤ１２の機関車ＩＤ部の内容を第１受信テーブル５２に格納することとなる。したがって伝送中継器制御装置３５は、第１受信テーブル５２に格納された連結確認コマンドＣＭＤ１２の機関車ＩＤ部の内容を第２送信テーブル５３に追格納する（ステップＳ１５）。
【００５１】
この状態において、機関車１１−１においては、第１受信テーブル５２に受信されるデータはないので、機関車１１−１の第２送信テーブル５３には、図１２に示すように、自己の機関車ＩＤ＝「１０」のみが格納された状態が維持される。
【００５２】
また、機関車１１−２の第２送信テーブル５３には、図１１に示したように、自己の機関車ＩＤ＝「２０」及び機関車１１−１の機関車ＩＤ＝「１０」が格納されているが、機関車１１−２においては、第１受信テーブル５２に新たに受信されるデータはないので、機関車１１−２の第２送信テーブル５３には、図１２に示すように、自己の機関車ＩＤ＝「２０」及び機関車１１−１の機関車ＩＤ＝「１０」が格納された状態が維持される。
【００５３】
また、機関車１１−３の第２送信テーブル５３には、図１１に示したように、自己の機関車ＩＤ＝「５」及び機関車１１−２の機関車ＩＤ＝「２０」が格納されている。したがって、伝送中継器制御装置３５は、第１受信テーブル５２に格納されている機関車１１−１の機関車ＩＤ＝「１０」を追格納する。この結果、機関車１１−３の第２送信テーブル５３には、図１２に示すように、機関車ＩＤ＝「５」、機関車ＩＤ＝「２０」及び機関車ＩＤ＝「１０」が格納されることとなる。
【００５４】
また、機関車１１−４の第２送信テーブル５３には、図１１に示したように、自己の機関車ＩＤ＝「７」及び機関車１１−３の機関車ＩＤ＝「５」が格納されている。したがって、伝送中継器制御装置３５は、第１受信テーブル５２に格納されている機関車１１−２の機関車ＩＤ＝「２０」を追格納する。この結果、機関車１１−４の第２送信テーブル５３には、図１２に示すように、機関車ＩＤ＝「７」、機関車ＩＤ＝「５」及び機関車ＩＤ＝「２０」が格納されることとなる。
【００５５】
また、機関車１１−５の第２送信テーブル５３には、図１１に示したように、自己の機関車ＩＤ＝「３」及び機関車１１−４の機関車ＩＤ＝「７」が格納されている。したがって、伝送中継器制御装置３５は、第１受信テーブル５２に格納されている機関車１１−３の機関車ＩＤ＝「５」を追格納する。この結果、機関車１１−５の第２送信テーブル５３には、図１２に示すように、機関車ＩＤ＝「３」、機関車ＩＤ＝「７」及び機関車ＩＤ＝「５」が格納されることとなる。
【００５６】
次に伝送中継器制御装置３５は、第１送信テーブル５１の内容あるいは第２送信テーブル５３の内容に変更があったか否かを判別する（ステップＳ１６）。
上記例においては、ステップＳ１６の判別において、全ての機関車１１−１〜１１−５において第１送信テーブル５１の内容あるいは第２送信テーブル５３の内容に変更があったと判別されるため（ステップＳ１６；Ｙｅｓ）、全ての機関車１１−１〜１１−５のそれぞれの伝送中継器制御装置３５は、第１送信テーブル５１の内容を連結確認コマンドＣＭＤ１１として第１幹線伝送送信機３１から送信させる（ステップＳ１８）。
【００５７】
図１３は、第３回目の連結確認コマンド受信後の送信テーブル及び受信テーブルの状態説明図である。
同様に、第１コネクタ１４−１には、他の機関車が接続されていないが、機関車１１−１の伝送中継器制御装置３５は、第１送信テーブル５１に格納されている自己の機関車ＩＤ＝「１０」、機関車１１−２の機関車ＩＤ「２０」及び機関車１１−３の機関車ＩＤ＝「５」を連結確認コマンドＣＭＤ１１として第１幹線伝送送信機３１から送信する。
【００５８】
一方、機関車１１−２の伝送中継器制御装置３５は、第１送信テーブル５１に格納されている自己の機関車ＩＤ＝「２０」、機関車１１−３の機関車ＩＤ「５」及び機関車１１−４の機関車ＩＤ＝「７」を連結確認コマンドＣＭＤ１１として第１幹線伝送送信機３１から機関車１１−１に向けて送信させる。
【００５９】
また、機関車１１−３の伝送中継器制御装置３５は、第１送信テーブル５１に格納されている自己の機関車ＩＤ＝「５」、機関車１１−４の機関車ＩＤ＝「７」及び機関車１１−５の機関車ＩＤ＝「３」を連結確認コマンドＣＭＤ１１として第１幹線伝送送信機３１から機関車１１−２に向けて送信させる。
【００６０】
また、機関車１１−４の伝送中継器制御装置３５は、第１送信テーブル５１に格納されている、自己の機関車ＩＤ＝「７」及び機関車１１−５の機関車ＩＤ「３」を連結確認コマンドＣＭＤ１１として第１幹線伝送送信機３１から機関車１１−３に向けて送信させる。
また、機関車１１−５の伝送中継器制御装置３５は、第１送信テーブル５１に格納されている、自己の機関車ＩＤ＝「３」を連結確認コマンドＣＭＤ１１として第１幹線伝送送信機３１から機関車１１−４に向けて送信させる。
【００６１】
続いて、全ての機関車１１−１〜１１−５のそれぞれの伝送中継器制御装置３５は、第２送信テーブル５３の内容を、連結確認コマンドＣＭＤ１２として第２幹線伝送送信機３３から送信させる（ステップＳ１９）。
【００６２】
すなわち、機関車１１−１の伝送中継器制御装置３５は、第２送信テーブル５３に格納されている自己の機関車ＩＤ＝「１０」を、連結確認コマンドＣＭＤ１２として第２幹線伝送送信機３３から機関車１１−２に向けて送信させる。
【００６３】
同様に、機関車１１−２の伝送中継器制御装置３５は、第２送信テーブル５３に格納されている自己の機関車ＩＤ＝「２０」及び機関車１１−１の機関車ＩＤ「１０」を、連結確認コマンドＣＭＤ１２として第２幹線伝送送信機３３から機関車１１−３に向けて送信させる。
また、機関車１１−３の伝送中継器制御装置３５は、第２送信テーブル５３に格納されている自己の機関車ＩＤ＝「５」、機関車１１−２の機関車ＩＤ＝「２０」及び機関車１１−１の機関車ＩＤ＝「１０」を連結確認コマンドＣＭＤ１２として第２幹線伝送送信機３３から機関車１１−４に向けて送信させる。
【００６４】
また、機関車１１−４の伝送中継器制御装置３５は、第２送信テーブル５３に格納されている、自己の機関車ＩＤ＝「７」、機関車１１−３の機関車ＩＤ＝「５」及び機関車１１−２の機関車ＩＤ＝「２０」を連結確認コマンドＣＭＤ１２として第２幹線伝送送信機３３から機関車１１−５に向けて送信させる。
【００６５】
また、機関車１１−５の伝送中継器制御装置３５は、第２送信テーブル５３に格納されている自己の機関車ＩＤ＝「３」、機関車１１−４の機関車ＩＤ＝「７」及び機関車１１−３の機関車ＩＤ＝「５」を連結確認コマンドＣＭＤ１２として第２幹線伝送送信機３３から送信させる。
【００６６】
続いて、機関車１１−１〜１１−５の伝送中継器制御装置３５は、処理を再びステップＳ１３に移行する。
そして、機関車１１−１〜１１−５の伝送中継器制御装置３５は、再び他の機関車に搭載された伝送中継器制御装置３５から連結確認コマンドＣＭＤ１１あるいは連結確認コマンドＣＭＤ１２を受信したか否かを判別する（ステップＳ１３）。
【００６７】
そして、第２幹線伝送受信機３４を介して、他の伝送中継器制御装置３５の第１幹線伝送送信機３１から連結確認コマンドＣＭＤ１１を受信した場合には、連結確認コマンドＣＭＤ１１の機関車ＩＤ部の内容を第２受信テーブル５４に格納することとなるので、第２受信テーブル５４に格納された連結確認コマンドＣＭＤ１１の機関車ＩＤ部の内容を第１送信テーブル５１に追格納する（ステップＳ１４）。
【００６８】
図１４は、第３回目の連結確認コマンドを受信し、追格納を行った後の送信テーブル及び受信テーブルの状態説明図である。
この状態において、例えば、機関車１１−２の第１送信テーブル５１には、図１３に示したように、自己の機関車ＩＤ＝「２０」、機関車１１−３の機関車ＩＤ＝「５」及び機関車１１−４の機関車ＩＤ＝「７」が格納されている。したがって、伝送中継器制御装置３５は、第２受信テーブル５４に格納されている機関車１１−５の機関車ＩＤ＝「３」を追格納する。この結果、機関車１１−２の第１送信テーブル５１には、図１４に示すように、機関車ＩＤ＝「２０」、機関車ＩＤ＝「５」、機関車ＩＤ＝「７」及び機関車ＩＤ＝「３」が格納されることとなる。
【００６９】
同様にして、機関車１１−１の第１送信テーブル５１には、図１３に示したように、自己の機関車ＩＤ＝「１０」、機関車１１−２の機関車ＩＤ＝「２０」及び機関車１１−３の機関車ＩＤ＝「５」が格納されている。したがって、伝送中継器制御装置３５は、第２受信テーブル５４に格納されている機関車１１−４の機関車ＩＤ＝「７」を追格納する。この結果、機関車１１−１の第１送信テーブル５１には、図１４に示すように、機関車ＩＤ＝「１０」、機関車ＩＤ＝「２０」、機関車ＩＤ＝「５」及び機関車ＩＤ＝「７」が格納されることとなる。
【００７０】
また、機関車１１−３の第１送信テーブル５１には、図１３に示したように、自己の機関車ＩＤ＝「５」、機関車１１−４の機関車ＩＤ＝「７」及び機関車１１−５の機関車ＩＤ＝「３」が格納されている。しかしながら、機関車１１−３においては、第２受信テーブル５４に新たに受信されるデータはないので、機関車１１−３の第１送信テーブル５１は、自己の機関車ＩＤ＝「５」、機関車１１−４の機関車ＩＤ＝「７」及び機関車１１−５の機関車ＩＤ＝「３」が格納された状態が維持される。
【００７１】
また、機関車１１−４の第１送信テーブル５１には、図１３に示したように、自己の機関車ＩＤ＝「７」及び機関車１１−５の機関車ＩＤ「３」が格納されているが、機関車１１−４においては、第２受信テーブル５４に新たに受信されるデータはないので、機関車１１−４の第１送信テーブル５１は、自己の機関車ＩＤ＝「７」及び機関車１１−５の機関車ＩＤ「３」が格納された状態が維持される。
【００７２】
また、機関車１１−５においても、第２受信テーブル５４に受信されるデータはないので、機関車１１−５の第１送信テーブル５１は、自己の機関車ＩＤ＝「３」のみが格納された状態が維持される。
【００７３】
また、第１幹線伝送受信機３２を介して、他の伝送中継器制御装置３５の第２幹線伝送送信機３３から連結確認コマンドＣＭＤ１２を受信した場合には、連結確認コマンドＣＭＤ１２の機関車ＩＤ部の内容を第１受信テーブル５２に格納することとなる。したがって伝送中継器制御装置３５は、第１受信テーブル５２に格納された連結確認コマンドＣＭＤ１２の機関車ＩＤ部の内容を第２送信テーブル５３に追格納する（ステップＳ１５）。
【００７４】
この状態において、機関車１１−１においては、第１受信テーブル５２に受信されるデータはないので、機関車１１−１の第２送信テーブル５３には、図１４に示すように、自己の機関車ＩＤ＝「１０」のみが格納された状態が維持される。
【００７５】
また、機関車１１−２の第２送信テーブル５３には、図１３に示したように、自己の機関車ＩＤ＝「２０」及び機関車１１−１の機関車ＩＤ＝「１０」が格納されているが、機関車１１−２においては、第１受信テーブル５２に新たに受信されるデータはないので、機関車１１−２の第２送信テーブル５３には、図１４に示すように、自己の機関車ＩＤ＝「２０」及び機関車１１−１の機関車ＩＤ＝「１０」が格納された状態が維持される。
【００７６】
また、機関車１１−３の第２送信テーブル５３には、図１３に示したように、自己の機関車ＩＤ＝「５」、機関車１１−２の機関車ＩＤ＝「２０」及び機関車１１−１の機関車ＩＤ＝「１０」が格納されているが、機関車１１−３においては、第１受信テーブル５２に新たに受信されるデータはないので、機関車１１−３の第２送信テーブル５３には、図１４に示すように、自己の機関車ＩＤ＝「５」、機関車１１−２の機関車ＩＤ＝「２０」及び機関車１１−１の機関車ＩＤ＝「１０」が格納された状態が維持される。
【００７７】
また、機関車１１−４の第２送信テーブル５３には、図１３に示したように、自己の機関車ＩＤ＝「７」、機関車１１−３の機関車ＩＤ＝「５」及び機関車１１−２の機関車ＩＤ＝「２０」が格納されている。したがって、伝送中継器制御装置３５は、第１受信テーブル５２に格納されている機関車１１−１２機関車ＩＤ＝「１０」を追格納する。この結果、機関車１１−４の第２送信テーブル５３には、図１４に示すように、機関車ＩＤ＝「７」、機関車ＩＤ＝「５」、機関車ＩＤ＝「２０」及び機関車ＩＤ＝「１０」が格納されることとなる。
【００７８】
また、機関車１１−５の第２送信テーブル５３には、図１３に示したように、自己の機関車ＩＤ＝「３」、機関車１１−４の機関車ＩＤ＝「７」及び機関車１１−３の機関車ＩＤ＝「５」が格納されている。したがって、伝送中継器制御装置３５は、第１受信テーブル５２に格納されている機関車１１−２の機関車ＩＤ＝「２０」を追格納する。この結果、機関車１１−５の第２送信テーブル５３には、図１４に示すように、機関車ＩＤ＝「３」、機関車ＩＤ＝「７」、機関車ＩＤ＝「５」及び機関車ＩＤ＝「２０」が格納されることとなる。
【００７９】
次に伝送中継器制御装置３５は、第１送信テーブル５１の内容あるいは第２送信テーブル５３の内容に変更があったか否かを判別する（ステップＳ１６）。
上記例においては、ステップＳ１６の判別において、全ての機関車１１−１〜１１−５において第１送信テーブル５１の内容あるいは第２送信テーブル５３の内容に変更があったと判別されるため（ステップＳ１６；Ｙｅｓ）、全ての機関車１１−１〜１１−５のそれぞれの伝送中継器制御装置３５は、第１送信テーブル５１の内容を連結確認コマンドＣＭＤ１１として第１幹線伝送送信機３１から送信させる（ステップＳ１８）。
【００８０】
図１５は、第４回目の連結確認コマンド受信後の送信テーブル及び受信テーブルの状態説明図である。
ここでも上記と同様に、機関車１１−１の伝送中継器制御装置３５は、第１送信テーブル５１に格納されている自己の機関車ＩＤ＝「１０」、機関車１１−２の機関車ＩＤ「２０」、機関車１１−３の機関車ＩＤ＝「５」及び機関車１１−４の機関車ＩＤ＝「７」を第１幹線伝送送信機３１から連結確認コマンドＣＭＤ１１として送信する。
【００８１】
一方、機関車１１−２の伝送中継器制御装置３５は、第１送信テーブル５１に格納されている自己の機関車ＩＤ＝「２０」、機関車１１−３の機関車ＩＤ＝「５」、機関車１１−４の機関車ＩＤ＝「７」及び機関車１１−５の機関車ＩＤ＝「３」を第１幹線伝送送信機３１から機関車１１−１に向けて連結確認コマンドＣＭＤ１１として送信させる。
また、機関車１１−３の伝送中継器制御装置３５は、第１送信テーブル５１に格納されている自己の機関車ＩＤ＝「５」、機関車１１−４の機関車ＩＤ＝「７」及び機関車１１−５の機関車ＩＤ＝「３」を第１幹線伝送送信機３１から機関車１１−２に向けて連結確認コマンドＣＭＤ１１として送信させる。
【００８２】
また、機関車１１−４の伝送中継器制御装置３５は、第１送信テーブル５１に格納されている、自己の機関車ＩＤ＝「７」及び機関車１１−５の機関車ＩＤ「３」を第１幹線伝送送信機３１から機関車１１−３に向けて連結確認コマンドＣＭＤ１１として送信させる。
また、機関車１１−５の伝送中継器制御装置３５は、第１送信テーブル５１に格納されている、自己の機関車ＩＤ＝「３」を第１幹線伝送送信機３１から機関車１１−４に向けて連結確認コマンドＣＭＤ１１として送信させる。
【００８３】
続いて、全ての機関車１１−１〜１１−５のそれぞれの伝送中継器制御装置３５は、第２送信テーブル５３の内容を、連結確認コマンドＣＭＤ１２として第２幹線伝送送信機３３から送信させる（ステップＳ１９）。
すなわち、機関車１１−１の伝送中継器制御装置３５は、第２送信テーブル５３に格納されている自己の機関車ＩＤ＝「１０」を第２幹線伝送送信機３３から機関車１１−２に向けて、連結確認コマンドＣＭＤ１２として送信させる。
【００８４】
同様に、機関車１１−２の伝送中継器制御装置３５は、第２送信テーブル５３に格納されている自己の機関車ＩＤ＝「２０」及び機関車１１−１の機関車ＩＤ「１０」を第２幹線伝送送信機３３から機関車１１−３に向けて、連結確認コマンドＣＭＤ１２として送信させる。
また、機関車１１−３の伝送中継器制御装置３５は、第２送信テーブル５３に格納されている自己の機関車ＩＤ＝「５」、機関車１１−２の機関車ＩＤ＝「２０」及び機関車１１−１の機関車ＩＤ＝「１０」を第２幹線伝送送信機３３から機関車１１−４に向けて、連結確認コマンドＣＭＤ１２として送信させる。
【００８５】
また、機関車１１−４の伝送中継器制御装置３５は、第２送信テーブル５３に格納されている、自己の機関車ＩＤ＝「７」、機関車１１−３の機関車ＩＤ＝「５」、機関車１１−２の機関車ＩＤ＝「２０」及び機関車１１−１の機関車ＩＤ＝「１０」を第２幹線伝送送信機３３から機関車１１−５に向けて、連結確認コマンドＣＭＤ１２として送信させる。
【００８６】
また、機関車１１−５の伝送中継器制御装置３５は、第２送信テーブル５３に格納されている自己の機関車ＩＤ＝「３」、機関車１１−４の機関車ＩＤ＝「７」、機関車１１−３の機関車ＩＤ＝「５」及び機関車１１−２の機関車ＩＤ＝「２０」を、連結確認コマンドＣＭＤ１２として第２幹線伝送送信機３３から送信させる。
【００８７】
続いて、機関車１１−１〜１１−５の伝送中継器制御装置３５は、処理を再びステップＳ１３に移行する。
そして、機関車１１−１〜１１−５の伝送中継器制御装置３５は、再び他の機関車に搭載された伝送中継器制御装置３５から連結確認コマンドＣＭＤ１１あるいは連結確認コマンドＣＭＤ１２を受信したか否かを判別する（ステップＳ１３）。
【００８８】
そして、第２幹線伝送受信機３４を介して、他の伝送中継器制御装置３５の第１幹線伝送送信機３１から連結確認コマンドＣＭＤ１１を受信した場合には、連結確認コマンドＣＭＤ１１の機関車ＩＤ部の内容を第２受信テーブル５４に格納することとなるので、第２受信テーブル５４に格納された連結確認コマンドＣＭＤ１１の機関車ＩＤ部の内容を第１送信テーブル５１に追格納する（ステップＳ１４）。
【００８９】
図１６は、第４回目の連結確認コマンドを受信し、追格納を行った後の送信テーブル及び受信テーブルの状態説明図である。
この状態において、例えば、機関車１１−２の第１送信テーブル５１には、図１５に示したように、自己の機関車ＩＤ＝「２０」、機関車１１−３の機関車ＩＤ＝「５」、機関車１１−４の機関車ＩＤ＝「７」及び機関車１１−５の機関車ＩＤ＝「３」が格納されている。しかしながら、機関車１１−２においては、第２受信テーブル５４に新たに受信されるデータはないので、機関車１１−２の第１送信テーブル５１は、自己の機関車ＩＤ＝「２０」、機関車１１−３の機関車ＩＤ＝「５」、機関車１１−４の機関車ＩＤ＝「７」及び機関車１１−５の機関車ＩＤ＝「３」が格納された状態が維持されることとなる。
【００９０】
同様にして、機関車１１−１の第１送信テーブル５１には、図１５に示したように、自己の機関車ＩＤ＝「１０」、機関車１１−２の機関車ＩＤ＝「２０」、機関車１１−３の機関車ＩＤ＝「５」及び機関車１１−４の機関車ＩＤ＝「７」が格納されている。したがって、伝送中継器制御装置３５は、第２受信テーブル５４に格納されている機関車１１−５の機関車ＩＤ＝「３」を追格納する。この結果、機関車１１−１の第１送信テーブル５１には、図１６に示すように、機関車ＩＤ＝「１０」、機関車ＩＤ＝「２０」、機関車ＩＤ＝「５」、機関車ＩＤ＝「７」及び機関車ＩＤ＝「３」が格納されることとなる。
【００９１】
また、機関車１１−３の第１送信テーブル５１には、図１５に示したように、自己の機関車ＩＤ＝「５」、機関車１１−４の機関車ＩＤ＝「７」及び機関車１１−５の機関車ＩＤ＝「３」が格納されている。しかしながら、機関車１１−３においては、第２受信テーブル５４に新たに受信されるデータはないので、機関車１１−３の第１送信テーブル５１は、自己の機関車ＩＤ＝「５」、機関車１１−４の機関車ＩＤ＝「７」及び機関車１１−５の機関車ＩＤ＝「３」が格納された状態が維持される。
【００９２】
また、機関車１１−４の第１送信テーブル５１には、図１５に示したように、自己の機関車ＩＤ＝「７」及び機関車１１−５の機関車ＩＤ「３」が格納されているが、機関車１１−４においては、第２受信テーブル５４に新たに受信されるデータはないので、機関車１１−４の第１送信テーブル５１は、自己の機関車ＩＤ＝「７」及び機関車１１−５の機関車ＩＤ「３」が格納された状態が維持される。
また、機関車１１−５においても、第２受信テーブル５４に受信されるデータはないので、機関車１１−５の第１送信テーブル５１は、自己の機関車ＩＤ＝「３」のみが格納された状態が維持される。
【００９３】
また、第１幹線伝送受信機３２を介して、他の伝送中継器制御装置３５の第２幹線伝送送信機３３から連結確認コマンドＣＭＤ１２を受信した場合には、連結確認コマンドＣＭＤ１２の機関車ＩＤ部の内容を第１受信テーブル５２に格納することとなる。したがって伝送中継器制御装置３５は、第１受信テーブル５２に格納された連結確認コマンドＣＭＤ１２の機関車ＩＤ部の内容を第２送信テーブル５３に追格納する（ステップＳ１５）。
【００９４】
この状態において、機関車１１−１においては、第１受信テーブル５２に受信されるデータはないので、機関車１１−１の第２送信テーブル５３には、図１６に示すように、自己の機関車ＩＤ＝「１０」のみが格納された状態が維持される。
【００９５】
また、機関車１１−２の第２送信テーブル５３には、図１５に示したように、自己の機関車ＩＤ＝「２０」及び機関車１１−１の機関車ＩＤ＝「１０」が格納されているが、機関車１１−２においては、第１受信テーブル５２に新たに受信されるデータはないので、機関車１１−２の第２送信テーブル５３には、図１６に示すように、自己の機関車ＩＤ＝「２０」及び機関車１１−１の機関車ＩＤ＝「１０」が格納された状態が維持される。
【００９６】
また、機関車１１−３の第２送信テーブル５３には、図１５に示したように、自己の機関車ＩＤ＝「５」、機関車１１−２の機関車ＩＤ＝「２０」及び機関車１１−１の機関車ＩＤ＝「１０」が格納されているが、機関車１１−３においては、第１受信テーブル５２に新たに受信されるデータはないので、機関車１１−３の第２送信テーブル５３には、図１６に示すように、自己の機関車ＩＤ＝「５」、機関車１１−２の機関車ＩＤ＝「２０」及び機関車１１−１の機関車ＩＤ＝「１０」が格納された状態が維持される。
【００９７】
また、機関車１１−４の第２送信テーブル５３には、図１５に示したように、自己の機関車ＩＤ＝「７」、機関車１１−３の機関車ＩＤ＝「５」、機関車１１−２の機関車ＩＤ＝「２０」及び機関車１１−１の機関車ＩＤ＝「１０」が格納されているが、機関車１１−４おいては、第１受信テーブル５２に新たに受信されるデータはないので、機関車１１−４の第２送信テーブル５３には、図１６に示すように、自己の機関車ＩＤ＝「７」、機関車１１−３の機関車ＩＤ＝「５」、機関車１１−２の機関車ＩＤ＝「２０」及び機関車１１−１の機関車ＩＤ＝「１０」が格納された状態が維持される。
【００９８】
また、機関車１１−５の第２送信テーブル５３には、図１５に示したように、自己の機関車ＩＤ＝「３」、機関車１１−４の機関車ＩＤ＝「７」、機関車１１−３の機関車ＩＤ＝「５」及び機関車１１−２の機関車ＩＤ＝「２０」が格納されている。したがって、伝送中継器制御装置３５は、第１受信テーブル５２に格納されている機関車１１−１の機関車ＩＤ＝「１０」を追格納する。この結果、機関車１１−５の第２送信テーブル５３には、図１６に示すように、機関車ＩＤ＝「３」、機関車ＩＤ＝「７」、機関車ＩＤ＝「５」、機関車ＩＤ＝「２０」及び機関車ＩＤ＝「１０」が格納されることとなる。
【００９９】
次に伝送中継器制御装置３５は、第１送信テーブル５１の内容あるいは第２送信テーブル５３の内容に変更があったか否かを判別する（ステップＳ１６）。
上記例においては、ステップＳ１６の判別において、全ての機関車１１−１〜１１−５において第１送信テーブル５１の内容あるいは第２送信テーブル５３の内容に変更があったと判別されるため（ステップＳ１６；Ｙｅｓ）、全ての機関車１１−１〜１１−５のそれぞれの伝送中継器制御装置３５は、第１送信テーブル５１の内容を連結確認コマンドＣＭＤ１１として第１幹線伝送送信機３１から送信させる（ステップＳ１８）。
【０１００】
図１７は、第５回目の連結確認コマンド受信後の送信テーブル及び受信テーブルの状態説明図である。
ここでも同様に、機関車１１−１の伝送中継器制御装置３５は、第１送信テーブル５１に格納されている自己の機関車ＩＤ＝「１０」、機関車１１−２の機関車ＩＤ「２０」、機関車１１−３の機関車ＩＤ＝「５」、機関車１１−４の機関車ＩＤ＝「７」及び機関車１１−５の機関車ＩＤ＝「３」を第１幹線伝送送信機３１から送信する。
【０１０１】
また、機関車１１−２の伝送中継器制御装置３５は、第１送信テーブル５１に格納されている自己の機関車ＩＤ＝「２０」、機関車１１−３の機関車ＩＤ＝「５」、機関車１１−４の機関車ＩＤ＝「７」及び機関車１１−５の機関車ＩＤ＝「３」を第１幹線伝送送信機３１から機関車１１−１に向けて連結確認コマンドＣＭＤ１１として送信させる。
【０１０２】
また、機関車１１−３の伝送中継器制御装置３５は、第１送信テーブル５１に格納されている自己の機関車ＩＤ＝「５」、機関車１１−４の機関車ＩＤ＝「７」及び機関車１１−５の機関車ＩＤ＝「３」を第１幹線伝送送信機３１から機関車１１−２に向けて連結確認コマンドＣＭＤ１１として送信させる。
【０１０３】
また、機関車１１−４の伝送中継器制御装置３５は、第１送信テーブル５１に格納されている、自己の機関車ＩＤ＝「７」及び機関車１１−５の機関車ＩＤ「３」を第１幹線伝送送信機３１から機関車１１−３に向けて連結確認コマンドＣＭＤ１１として送信させる。
また、機関車１１−５の伝送中継器制御装置３５は、第１送信テーブル５１に格納されている、自己の機関車ＩＤ＝「３」を第１幹線伝送送信機３１から機関車１１−４に向けて連結確認コマンドＣＭＤ１１として送信させる。
【０１０４】
続いて、全ての機関車１１−１〜１１−５のそれぞれの伝送中継器制御装置３５は、第２送信テーブル５３の内容を第２幹線伝送送信機３３から連結確認コマンドＣＭＤ１２として送信させる（ステップＳ１９）。
【０１０５】
すなわち、機関車１１−１の伝送中継器制御装置３５は、第２送信テーブル５３に格納されている自己の機関車ＩＤ＝「１０」を第２幹線伝送送信機３３から機関車１１−２に向けて連結確認コマンドＣＭＤ１２として送信させる。
【０１０６】
同様に、機関車１１−２の伝送中継器制御装置３５は、第２送信テーブル５３に格納されている自己の機関車ＩＤ＝「２０」及び機関車１１−１の機関車ＩＤ「１０」を第２幹線伝送送信機３３から機関車１１−３に向けて連結確認コマンドＣＭＤ１２として送信させる。
また、機関車１１−３の伝送中継器制御装置３５は、第２送信テーブル５３に格納されている自己の機関車ＩＤ＝「５」、機関車１１−２の機関車ＩＤ＝「２０」及び機関車１１−１の機関車ＩＤ＝「１０」を第２幹線伝送送信機３３から機関車１１−４に向けて連結確認コマンドＣＭＤ１２として送信させる。
【０１０７】
また、機関車１１−４の伝送中継器制御装置３５は、第２送信テーブル５３に格納されている、自己の機関車ＩＤ＝「７」、機関車１１−３の機関車ＩＤ＝「５」、機関車１１−２の機関車ＩＤ＝「２０」及び機関車１１−１の機関車ＩＤ＝「１０」を第２幹線伝送送信機３３から機関車１１−５に向けて連結確認コマンドＣＭＤ１２として送信させる。
【０１０８】
また、機関車１１−５の伝送中継器制御装置３５は、第２送信テーブル５３に格納されている自己の機関車ＩＤ＝「３」、機関車１１−４の機関車ＩＤ＝「７」、機関車１１−３の機関車ＩＤ＝「５」、機関車１１−２の機関車ＩＤ＝「２０」及び機関車１１−１の機関車ＩＤ＝「１０」を第２幹線伝送送信機３３から連結確認コマンドＣＭＤ１２として送信させる。
【０１０９】
続いて、機関車１１−１〜１１−５の伝送中継器制御装置３５は、処理を再びステップＳ１３に移行する。
そして、機関車１１−１〜１１−５の伝送中継器制御装置３５は、再び他の機関車に搭載された伝送中継器制御装置３５から連結確認コマンドＣＭＤ１１あるいは連結確認コマンドＣＭＤ１２を受信したか否かを判別する（ステップＳ１３）。
【０１１０】
そして、第２幹線伝送受信機３４を介して、他の伝送中継器制御装置３５の第１幹線伝送送信機３１から連結確認コマンドＣＭＤ１１を受信した場合には、連結確認コマンドＣＭＤ１１の機関車ＩＤ部の内容を第２受信テーブル５４に格納することとなるので、第２受信テーブル５４に格納された連結確認コマンドＣＭＤ１１の機関車ＩＤ部の内容を第１送信テーブル５１に追格納する（ステップＳ１４）。
【０１１１】
この状態において、例えば、機関車１１−２の第１送信テーブル５１には、図１７に示したように、自己の機関車ＩＤ＝「２０」、機関車１１−３の機関車ＩＤ＝「５」、機関車１１−４の機関車ＩＤ＝「７」及び機関車１１−５の機関車ＩＤ＝「３」が格納されている。しかしながら、機関車１１−２においては、第２受信テーブル５４に新たに受信されるデータはないので、機関車１１−２の第１送信テーブル５１は、自己の機関車ＩＤ＝「２０」、機関車１１−３の機関車ＩＤ＝「５」、機関車１１−４の機関車ＩＤ＝「７」及び機関車１１−５の機関車ＩＤ＝「３」が格納された状態が維持されることとなる。
【０１１２】
同様にして、機関車１１−１の第１送信テーブル５１には、図１７に示したように、自己の機関車ＩＤ＝「１０」、機関車１１−２の機関車ＩＤ＝「２０」、機関車１１−３の機関車ＩＤ＝「５」及び機関車１１−４の機関車ＩＤ＝「７」が格納されている。したがって、伝送中継器制御装置３５は、第２受信テーブル５４に格納されている機関車１１−５の機関車ＩＤ＝「３」を追格納する。この結果、機関車１１−１の第１送信テーブル５１には、図１６に示すように、機関車ＩＤ＝「１０」、機関車ＩＤ＝「２０」、機関車ＩＤ＝「５」、機関車ＩＤ＝「７」及び機関車ＩＤ＝「３」が格納されることとなる。
【０１１３】
また、機関車１１−３の第１送信テーブル５１には、図１７に示したように、自己の機関車ＩＤ＝「５」、機関車１１−４の機関車ＩＤ＝「７」及び機関車１１−５の機関車ＩＤ＝「３」が格納されている。しかしながら、機関車１１−３においては、第２受信テーブル５４に新たに受信されるデータはないので、機関車１１−３の第１送信テーブル５１は、自己の機関車ＩＤ＝「５」、機関車１１−４の機関車ＩＤ＝「７」及び機関車１１−５の機関車ＩＤ＝「３」が格納された状態が維持される。
【０１１４】
また、機関車１１−４の第１送信テーブル５１には、図１７に示したように、自己の機関車ＩＤ＝「７」及び機関車１１−５の機関車ＩＤ「３」が格納されているが、機関車１１−４においては、第２受信テーブル５４に新たに受信されるデータはないので、機関車１１−４の第１送信テーブル５１は、自己の機関車ＩＤ＝「７」及び機関車１１−５の機関車ＩＤ「３」が格納された状態が維持される。
また、機関車１１−５においても、第２受信テーブル５４に受信されるデータはないので、機関車１１−５の第１送信テーブル５１は、自己の機関車ＩＤ＝「３」のみが格納された状態が維持される。
【０１１５】
また、第１幹線伝送受信機３２を介して、他の伝送中継器制御装置３５の第２幹線伝送送信機３３から連結確認コマンドＣＭＤ１２を受信した場合には、連結確認コマンドＣＭＤ１２の機関車ＩＤ部の内容を第１受信テーブル５２に格納することとなる。したがって伝送中継器制御装置３５は、第１受信テーブル５２に格納された連結確認コマンドＣＭＤ１２の機関車ＩＤ部の内容を第２送信テーブル５３に追格納する（ステップＳ１５）。
【０１１６】
この状態において、機関車１１−１においては、第１受信テーブル５２に受信されるデータはないので、機関車１１−１の第２送信テーブル５３には、図１７に示すように、自己の機関車ＩＤ＝「１０」のみが格納された状態が維持される。
【０１１７】
また、機関車１１−２の第２送信テーブル５３には、図１７に示したように、自己の機関車ＩＤ＝「２０」及び機関車１１−１の機関車ＩＤ＝「１０」が格納されているが、機関車１１−２においては、第１受信テーブル５２に新たに受信されるデータはないので、機関車１１−２の第２送信テーブル５３には、図１７に示すように、自己の機関車ＩＤ＝「２０」及び機関車１１−１の機関車ＩＤ＝「１０」が格納された状態が維持される。
【０１１８】
また、機関車１１−３の第２送信テーブル５３には、図１７に示したように、自己の機関車ＩＤ＝「５」、機関車１１−２の機関車ＩＤ＝「２０」及び機関車１１−１の機関車ＩＤ＝「１０」が格納されているが、機関車１１−３においては、第１受信テーブル５２に新たに受信されるデータはないので、機関車１１−３の第２送信テーブル５３には、図１７に示すように、自己の機関車ＩＤ＝「５」、機関車１１−２の機関車ＩＤ＝「２０」及び機関車１１−１の機関車ＩＤ＝「１０」が格納された状態が維持される。
【０１１９】
また、機関車１１−４の第２送信テーブル５３には、図１７に示したように、自己の機関車ＩＤ＝「７」、機関車１１−３の機関車ＩＤ＝「５」、機関車１１−２の機関車ＩＤ＝「２０」及び機関車１１−１の機関車ＩＤ＝「１０」が格納されているが、機関車１１−４においては、第１受信テーブル５２に新たに受信されるデータはないので、機関車１１−４の第２送信テーブル５３には、図１７に示すように、自己の機関車ＩＤ＝「７」、機関車１１−３の機関車ＩＤ＝「５」、機関車１１−２の機関車ＩＤ＝「２０」及び機関車１１−１の機関車ＩＤ＝「１０」が格納された状態が維持される。
【０１２０】
また、機関車１１−５の第２送信テーブル５３には、図１７に示したように、自己の機関車ＩＤ＝「３」、機関車１１−４の機関車ＩＤ＝「７」、機関車１１−３の機関車ＩＤ＝「５」、機関車１１−２の機関車ＩＤ＝「２０」及び機関車１１−１の機関車ＩＤ＝「１０」が格納されているが、機関車１１−５においては、第１受信テーブル５２に新たに受信されるデータはないので、機関車１１−５の第２送信テーブル５３には、図１７に示すように、機関車ＩＤ＝「３」、機関車ＩＤ＝「７」、機関車ＩＤ＝「５」、機関車ＩＤ＝「２０」及び機関車ＩＤ＝「１０」が格納された状態が維持されることとなる。
【０１２１】
次に伝送中継器制御装置３５は、第１送信テーブル５１の内容あるいは第２送信テーブル５３の内容に変更があったか否かを判別する（ステップＳ１６）。
この場合においては、ステップＳ１６の判別において、全ての機関車１１−１〜１１−５において第１送信テーブル５１の内容あるいは第２送信テーブル５３の内容に変更がなかったものと判別されるため（ステップＳ１６；Ｎｏ）、伝送中継器制御装置３５は、最後に第１送信テーブル５１の内容あるいは第２送信テーブル５３の内容に変更があったときから所定時間が経過したか否かを判別する（ステップＳ１７）。
【０１２２】
ステップＳ１７の判別において、最後に第１送信テーブル５１の内容あるいは第２送信テーブル５３の内容に変更があったときから所定時間が経過していない場合には（ステップＳ１７；Ｎｏ）、伝送中継器制御装置３５は、処理を再びステップＳ１３に移行して以下、同様の処理を繰り返すこととなる。
【０１２３】
本例においては、ステップＳ１７の判別において、最後に第１送信テーブル５１の内容あるいは第２送信テーブル５３の内容に変更があったときから所定時間が経過したと判別されることとなり（ステップＳ１７；Ｙｅｓ）、連結確認処理を終了することとなる。
これらの結果、連結確認処理が終了した時点で、機関車の連結数および各機関車の機関車ＩＤに基づく車両編成を把握することが可能となる。
図１８−１〜図１８−５は、連結確認処理後の各機関車の連結数及び車両編成状態の確認状態の説明図（その１）〜（その５）である。
連結確認処理が終了すると、各機関車１１−１〜１１−５の伝送中継器制御装置３５は、図１８−１〜図１８−５に示すように、予め把握している自己の機関車の向き並びに第１送信テーブル５１及び第２送信テーブル５３の内容に基づいて、自己の機関車の向きと、連結されている機関車の機関車ＩＤを把握できることとなる。
例えば、機関車１１−３の伝送中継器制御装置３５は、図１８中、自己の前方は左方向であり、第１送信テーブル５１及び第２送信テーブル５３の内容を組み合わせることにより、自己が搭載されている機関車の前方には、機関車ＩＤ＝「１０」、「２０」の２台の機関車が連結され、自己が搭載されている機関車の後方には、機関車ＩＤ＝「７」、「３」の２台の機関車が連結されていることを把握できる。
【０１２４】
以上の説明は、機関車の連結数及び車両連結編成について把握することはできるが、各機関車同士の相対的な向きについては把握できない。
そこで、次に機関車の方向を確認する処理について説明する。
上述した接続確認処理により、連結されている機関車の全ての機関車ＩＤは分かっているので、所定の規則に従ったいずれか一つの機関車が方向確認コマンドを送信することにより他の機関車は当該方向確認コマンドを送信した機関車である基準機関車の向きを基準として、同一方向を向いているのか、逆方向を向いているのかを判別することとなる。
【０１２５】
以下、具体的に説明する。
図１９は、方向確認処理の処理フローチャートである。
以下の説明では、所定の規則として、最も機関車ＩＤの値が小さい機関車を方向確認コマンドを送信する基準機関車として選択するものとする。
まず、各機関車１１−１〜１１−５の伝送中継器制御装置３５は、接続確認処理により全機関車の機関車ＩＤを取得する（ステップＳ２１）。
【０１２６】
次に伝送中継器制御装置３５は、自己が搭載されている機関車の機関車ＩＤが前記機関車の機関車ＩＤの値のうち最小値であるか否かを判別する（ステップＳ２２）。
具体的には、各機関車１１−１〜１１−５の伝送中継器制御装置３５は、メモリ３６に格納されている自己の機関車ＩＤと、第１送信テーブル５１及び第２送信テーブル５３に格納されている複数の機関車ＩＤと、を比較し、自己の機関車ＩＤが最小値であるかを判別することとなる。
【０１２７】
ステップＳ２２の判別において、自己が搭載されている機関車の機関車ＩＤが全機関車の機関車ＩＤの値のうち最小値である場合には（ステップＳ２２；Ｙｅｓ）、当該機関車は基準機関車であるので、伝送中継器制御装置３５は、第１方向確認コマンド（基準機関車前方確認コマンド）を当該機関車の前方から送出する（ステップＳ２３）。
【０１２８】
具体的には、図１７に示した状態では、機関車１１−５の機関車ＩＤ＝「３」が全ての機関車ＩＤの中で最小値であるので、機関車１１−５の伝送中継器制御装置３５は、第１方向確認コマンド（基準機関車前方確認コマンド）ＣＭＤ２１を当該機関車１１−５の前方である第２幹線伝送送信機３３から送出する。
【０１２９】
続いて伝送中継器制御装置３５は、第２方向確認コマンドＣＭＤ２２を当該機関車の後方から送出する（ステップＳ２３）。
これらの結果、他の機関車の伝送中継器制御装置３５は、第１方向確認コマンドＣＭＤ２１を受信した側が基準機関車の前方向に対向しており、第２方向確認コマンドＣＭＤ２２を受信した側が基準機関車の後方向に対向していることを把握することができるのである。
【０１３０】
一方、ステップＳ２２の判別において、自己が搭載されている機関車の機関車ＩＤが前記機関車の機関車ＩＤの値のうち最小値ではない場合には（ステップＳ２２；Ｎｏ）、伝送中継器制御装置３５は、自己が搭載されている機関車は、基準機関車ではないので、基準機関車である他の機関車に搭載されている他の伝送中継器制御装置３５から第１方向確認コマンドあるいは第２方向確認コマンドの少なくともいずれか一方が入力されるのを待つこととなる。
具体的には、基準機関車以外の機関車に搭載されている伝送中継器制御装置３５は、第１方向確認コマンドを受信したか否かを判別する（ステップＳ２５）。
【０１３１】
図２０は、第１方向確認コマンド及び第２方向確認コマンドのデータフォーマットの説明図である。図２０は、通信規格としてイーサネット（登録商標）を用いた場合の方向確認コマンドのデータフォーマットである。
第１方向確認コマンドＣＭＤ２１及び第２方向確認コマンドＣＭＤ２２は、同一データフォーマットであり、その先頭から、通信同期をとるためのプリアンブル部７１と、宛先アドレス、送信元アドレス等を格納したイーサネットヘッダ部７２と、第１方向確認コマンドＣＭＤ２１あるいは第２方向確認コマンドＣＭＤ２２であることを示すコマンド部７３と、全てのデータ＝「０」とされたダミーデータ部７４と、エラーチェック用のＣＲＣが格納されたフレームチェックシーケンス（ＦＣＳ）部７５と、を備えている。
【０１３２】
ステップＳ２５の判別において、第１方向確認コマンドＣＭＤ２１を受信した場合には（ステップＳ２５；Ｙｅｓ）、伝送中継器制御装置３５は、当該第１方向確認コマンドＣＭＤ２１を転送するとともに（ステップＳ２６）、当該第１方向確認コマンドを機関車の前方から受信したか否かを判別する（ステップＳ２７）。ここで、第１方向確認コマンドの転送は、第１方向確認コマンドを機関車の前方から受信した場合には後方に連結された機関車に転送し、後方から受信した場合には前方に連結された機関車に転送する。
【０１３３】
ステップＳ２７の判別において、第１方向確認コマンドＣＭＤ２１を機関車の前方から受信した場合には（ステップＳ２７；Ｙｅｓ）、第１方向確認コマンドを前方から受信した機関車は、基準機関車と前方同士が向かい合う向きであるので、伝送中継器制御装置３５は、基準機関車と逆方向を向いていると判別する（ステップＳ３２）。
【０１３４】
ステップＳ２７の判別において、第１方向確認コマンドＣＭＤ２１を機関車の後方から受信した場合には（ステップＳ２７；Ｙｅｓ）、第１方向確認コマンドＣＭＤ２１を前方から受信した機関車は、基準機関車と前方向が一致しているので、伝送中継器制御装置３５は、基準機関車と同一方向を向いていると判別する（ステップＳ２８）。
【０１３５】
ステップＳ２５の判別において、第１方向確認コマンドＣＭＤ２１を受信していない場合には（ステップＳ２５；Ｎｏ）、基準機関車以外の機関車に搭載されている伝送中継器制御装置３５は、第２方向確認コマンドＣＭＤ２２を受信したか否かを判別する（ステップＳ２９）。
【０１３６】
ステップＳ２９の判別において、第２方向確認コマンドＣＭＤ２２を受信した場合には（ステップＳ２９；Ｙｅｓ）、伝送中継器制御装置３５は、当該第２方向確認コマンドＣＭＤ２２を転送するとともに（ステップＳ３０）、当該第２方向確認コマンドＣＭＤ２２を機関車の前方から受信したか否かを判別する（ステップＳ３１）。
【０１３７】
ここで、第２方向確認コマンドＣＭＤ２２の転送は、第２方向確認コマンドＣＭＤ２２を機関車の前方から受信した場合には後方に連結されている機関車に転送し、後方から受信した場合には前方に連結されている機関車に転送する。具体的には、機関車１１−４は、第２方向確認コマンドＣＭＤ２２を前方に連結されている機関車１１−５から受信することとなるので、第２方向確認コマンドＣＭＤ２２を後方に連結されている機関車１１−３に転送することとなる。同様に、機関車１１−３は、第２方向確認コマンドＣＭＤ２２を後方に連結されている機関車１１−４から受信することとなるので、第２方向確認コマンドＣＭＤ２２を前方に連結されている機関車１１−２に転送することとなる。
【０１３８】
ステップＳ３１の判別において、第２方向確認コマンドを機関車の前方から受信した場合には（ステップＳ３１；Ｙｅｓ）、第２方向確認コマンドを前方から受信した機関車は、基準機関車と前方向が一致しているので、伝送中継器制御装置３５は、基準機関車と同一方向を向いていると判別する（ステップＳ２８）。
【０１３９】
ステップＳ３１の判別において、第２方向確認コマンドを機関車の後方から受信した場合には（ステップＳ３１；Ｎｏ）、第２方向確認コマンドを後方から受信した機関車は、基準機関車と前方同士が向かい合う向きであるので、伝送中継器制御装置３５は、基準機関車と逆方向を向いていると判別する（ステップＳ３２）。
【０１４０】
図２１−１〜図２１−５は、方向確認処理の説明図（その１）〜（その５）である。
以上の結果、機関車１１−１の伝送中継器制御装置３５は、後方向から第２方向確認コマンドＣＭＤ２２を受信することとなるので、基準機関車と逆方向を向いていると判別することとなる。
また、機関車１１−２の伝送中継器制御装置３５は、前方向から第２方向確認コマンドＣＭＤ２２を受信することとなるので、基準機関車と同一方向を向いていると判別することとなる。
【０１４１】
また、機関車１１−３の伝送中継器制御装置３５は、後方向から第２方向確認コマンドＣＭＤ２２を受信することとなるので、基準機関車と逆方向を向いていると判別することとなる。
また、機関車１１−４の伝送中継器制御装置３５は、前方向から第２方向確認コマンドＣＭＤ２２を受信することとなるので、基準機関車と同一方向を向いていると判別することとなる。
【０１４２】
また、機関車１１−５の伝送中継器制御装置３５は、基準機関車として前方向から第１方向確認コマンドＣＭＤ２１を送信し、後方向から第２方向確認コマンドＣＭＤ２２を送信し、自己の向きが基準である旨を把握することとなる。
【０１４３】
そして、各機関車１１−１〜１１−５の伝送中継器制御装置３５は、連結確認処理及び方向確認処理の結果、図４に示した方向に機関車１１−１〜１１−５がそれぞれ連結され、かつ、それらの機関車ＩＤを確認することができる。
この結果、連結／開放を定常的に実施する機関車システムにおいても、車両編成（機関車の両数、並び順、車両の向き）を自動的に取得でき、操作性、メンテナンス性に優れた機関車システムを容易に構築できる。
【０１４４】
以上の説明においては、詳細に述べなかったが、連結確認コマンドＣＭＤ１１及び連結確認コマンドＣＭＤ１２は、衝突の可能性があるため一定周期（例えば、自機関車ＩＤ×１ｍｓ周期）あるいはランダム周期で繰り返し送信する。
【０１４５】
また、以上の説明は、伝送路が送信用と受信用とで共用とされていたが、送信と受信で分離している場合は、衝突（コリジョン）が発生しないため固定値を使用しても良い。
また、以上の説明では、通信規格としてイーサネットを用いていたが、他の通信規格を用いるように構成することも可能である。
【０１４６】
また、以上の説明においては、各伝送中継器制御装置３５に一つの伝送装置本体２１を設ける構成としていたが、複数の伝送装置本体２１を設けて、複数の伝送路を設けて、いずれか一つの伝送装置本体２１あるいは当該伝送装置本体２１に接続されている伝送路が故障などにより伝送不能状態であっても、伝送装置本体２１及び対応する伝送路を介して、伝送を継続するようにすることが可能である。
【０１４７】
本実施形態の鉄道車両用伝送装置は、ＣＰＵなどの制御装置と、ＲＯＭ（Read  Only  Memory）やＲＡＭなどの記憶装置等を備えた通常のコンピュータを利用したハードウェア構成となっている。
本実施形態の鉄道車両用伝送装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供するように構成することも可能である。
【０１４８】
また、本実施形態の鉄道車両用伝送装置で実行される制御プログラムを、インターネット等のネットワークに接続されたコンピュータ上に格納し、ネットワーク経由でダウンロードさせることにより提供するように構成しても良い。また、本実施形態の鉄道車両用伝送装置で実行される〜プログラムをインターネット等のネットワーク経由で提供または配布するように構成しても良い。
また、本実施形態の鉄道車両用伝送装置の制御プログラムを、ＲＯＭ等に予め組み込んで提供するように構成してもよい。
【０１４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、請求の範囲に記載された発明とその均等の範囲に含まれる。
【図１】
2013179410.tif 000003
【図２】
2013179410.tif 000004
【図３】
2013179410.tif 000005
【図４】
2013179410.tif 000006
【図５】
2013179410.tif 000007
【図６】
2013179410.tif 000008
【図７】
2013179410.tif 000009
【図８】
2013179410.tif 000010
【図９】
2013179410.tif 000011
【図１０】
2013179410.tif 000012
【図１１】
2013179410.tif 000013
【図１２】
2013179410.tif 000014
【図１３】
2013179410.tif 000015
【図１４】
2013179410.tif 000016
【図１５】
2013179410.tif 000017
【図１６】
2013179410.tif 000018
【図１７】
2013179410.tif 000019
【図１８−１】
2013179410.tif 000020
【図１８−２】
2013179410.tif 000021
【図１８−３】
2013179410.tif 000022
【図１８−４】
2013179410.tif 000023
【図１８−５】
2013179410.tif 000024
【図１９】
2013179410.tif 000025
【図２０】
2013179410.tif 000026
【図２１−１】
2013179410.tif 000027
【図２１−２】
2013179410.tif 000028
【図２１−３】
2013179410.tif 000029
【図２１−４】
2013179410.tif 000030
【図２１−５】
2013179410.tif 000031
【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
機関車を特定するための機関車特定情報がそれぞれ割り当てられた複数の機関車を多重連結して列車を編成する場合に、機関車の所定の向きに対して、第１連結方向と、前記第１連結方向とは逆の第２連結方向とを、規定し、
他の機関車から前記第１連結方向あるいは前記第２連結方向のうちいずれか一方から受信した前記機関車特定情報を、前記第１連結方向あるいは前記第２連結方向のうちいずれか他方に送信する伝送部と、
受信した前記機関車特定情報及び当該機関車特定情報を前記前記第１連結方向あるいは前記第２連結方向のうちいずれから受信したかに基づいて、自己が搭載されている機関車と、他の機関車と、の連結状態としての前記列車を編成している機関車の両数、並び順及び前記機関車毎の前進方向／後進方向を判別する連結状態判別部と、
を備えた鉄道車両用伝送装置。
【請求項２】
前記伝送部は、
前記第１連結方向から受信した機関車特定情報あるいは複数の機関車特定情報を含む機関車特定情報列に自己の機関車特定情報を付加して、前記第２連結方向に送信する第１伝送部と、
前記第２連結方向から受信した機関車特定情報あるいは複数の機関車特定情報を含む機関車特定情報列に自己の機関車特定情報を付加して、前記第１連結方向に送信する第２伝送部と、
を備えた請求項１記載の鉄道車両用伝送装置。
【請求項３】
前記第１伝送部及び前記第２伝送部における受信した機関車特定情報あるいは複数の機関車特定情報を含む機関車特定情報列が所定時間以上変化しなくなった場合に、機関車特定情報の受信が完了したと判定する伝送制御部を、
備えた請求項２記載の鉄道車両用伝送装置。
【請求項４】
前記伝送制御部は、全ての前記機関車の伝送部から前記機関車特定情報の受信が完了した後、前記複数の機関車の機関車特定情報のうち、自己の機関車特定情報が所定の条件を満たしている唯一の機関車である基準機関車である場合に、前記第１伝送部を介して第１方向確認コマンドを送信させ、前記第２伝送部を介して第２方向確認コマンドを送信させる、
請求項３記載の鉄道車両用伝送装置。
【請求項５】
前記伝送制御部は、前記第１方向確認コマンドあるいは前記第２方向確認コマンドを前記第１伝送部あるいは前記第２伝送部のいずれが受信したかに基づいて、前記特定機関車の向きに対して同一方向あるいは逆方向を向いているかを判別する車両方向判別部を備えた、
請求項４記載の鉄道車両用伝送装置。
【請求項６】
前記機関車特定情報に基づいて、連結された複数の機関車のうち、両端に連結されている機関車に搭載されていると認識した通信制御手段は、前記第１伝送部及び前記第２伝送部のうち、他の機関車が連結されていない通信部を介して、機関車特定情報の送信を要求する情報要求信号を送信し続ける、
請求項４記載の鉄道車両用伝送装置。
【請求項７】
機関車を特定するための機関車特定情報がそれぞれ割り当てられた複数の機関車を多重連結して列車を編成する場合に、機関車の所定の向きに対して、第１連結方向と、前記第１連結方向とは逆の第２連結方向とが予め規定された、鉄道車両であって、
車両の前記第１連結方向に設けられた第１コネクタと、
車両の前記第２連結方向に設けられた第２コネクタと、
他の機関車から前記第１コネクタあるいは前記第２コネクタのうちいずれか一方から受信した前記機関車特定情報を、前記第１コネクタあるいは前記第２コネクタのうちいずれか他方に送信する伝送部と、
受信した前記機関車特定情報及び当該機関車特定情報を前記前記第１連結方向あるいは前記第２連結方向のうちいずれから受信したかに基づいて、自己が搭載されている機関車と、他の機関車と、の連結状態としての前記列車を編成している機関車の両数、並び順及び前記機関車毎の前進方向／後進方向を判別する連結状態判別部と、を備えた鉄道車両用伝送装置と、
を備えた鉄道車両。
【請求項８】
機関車を特定するための機関車特定情報がそれぞれ割り当てられた複数の機関車を多重連結して列車を編成する場合に、機関車の所定の向きに対して、第１連結方向と、前記第１連結方向とは逆の第２連結方向とが、規定された鉄道車両用伝送装置において実行される制御方法であって、
他の機関車から前記第１連結方向あるいは前記第２連結方向のうちいずれか一方から受信した前記機関車特定情報を、前記第１連結方向あるいは前記第２連結方向のうちいずれか他方に送信する伝送過程と、
受信した前記機関車特定情報及び当該機関車特定情報を前記前記第１連結方向あるいは前記第２連結方向のうちいずれから受信したかに基づいて、自己が搭載されている機関車と、他の機関車と、の連結状態としての前記列車を編成している機関車の両数、並び順及び前記機関車毎の前進方向／後進方向を判別する
連結状態判別過程と、
を備えた制御方法。
【請求項９】
機関車を特定するための機関車特定情報がそれぞれ割り当てられた複数の機関車を連結して列車を編成する場合に、機関車の所定の向きに対して、第１連結方向と、前記第１連結方向とは逆の第２連結方向とが、規定された機関車に搭載される鉄道車両用伝送装置をコンピュータにより制御するための制御プログラムであって、
他の機関車から前記第１連結方向あるいは前記第２連結方向のうちいずれか一方から受信した前記機関車特定情報を、前記第１連結方向あるいは前記第２連結方向のうちいずれか他方に送信する伝送ステップと、
受信した前記機関車特定情報及び当該機関車特定情報を前記前記第１連結方向あるいは前記第２連結方向のうちいずれから受信したかに基づいて、自己が搭載されている機関車と、他の機関車と、の連結状態としての前記列車を編成している機関車の両数、並び順及び前記機関車毎の前進方向／後進方向を判別する連結状態判別ステップと、
を備えた制御プログラム。
【手続補正２】
【補正対象書類名】明細書
【補正対象項目名】０００６
【補正方法】変更
【補正の内容】
【０００６】
本発明の実施形態にかかる鉄道車両用伝送装置は、機関車を特定するための機関車特定情報がそれぞれ割り当てられた複数の機関車を多重連結して列車を編成する場合に、機関車の所定の向きに対して、第１連結方向と、前記第１連結方向とは逆の第２連結方向とを、規定する。
そして、伝送部は、他の機関車から前記第１連結方向あるいは前記第２連結方向のうちいずれか一方から受信した前記機関車特定情報を、前記第１連結方向あるいは前記第２連結方向のうちいずれか他方に送信する。
これにより、連結状態判別部は、受信した前記機関車特定情報及び当該機関車特定情報を前記前記第１連結方向あるいは前記第２連結方向のうちいずれから受信したかに基づいて、自己が搭載されている機関車と、他の機関車と、の連結状態としての前記列車を編成している機関車の両数、並び順及び前記機関車毎の前進方向／後進方向を判別する。
【国際調査報告】
2013179410.tif 000032
2013179410.tif 000033
2013179410.tif 000034